(57)【特許請求の範囲】
【請求項１】
ユーザ機器（ＵＥ）のための方法であって、
データ伝送のためのパラメータであって、レイヤ数、割り当てられたリソースブロック数、変調次数、および符号レート、を少なくとも含む前記パラメータを指示する信号をネットワークノードから受信することと、
前記データ伝送のためのリソースブロックごとの有効なリソースエレメント数を判定することと、
受信した前記信号によって指示される前記パラメータおよび判定された前記有効なリソースエレメント数に基づいて伝送データブロックサイズ（ＴＤＢＳ）を計算することであって、計算された前記ＴＤＢＳは
0006972161.tif 000036
の値に依存し、ＮPRBは前記割り当てられたリソースブロック数であり、ＮREは前記有効なリソースエレメント数であり、ｖは前記レイヤ数であり、Ｑmは前記変調次数であり、ｒは前記符号レートである、計算することと、
判定された前記伝送データブロックサイズに基づいて前記ネットワークノードにデータを送信することと、
を含む方法。
【請求項２】
請求項１に記載の方法であって、前記パラメータを取得することは、前記レイヤ数、前記変調次数、前記符号レート、及び前記割り当てられたリソースブロック数に関する情報を含む信号をネットワークノードから受信することを含む、方法。
【請求項３】
請求項２に記載の方法であって、前記情報は、ダウンリンク制御情報（ＤＣＩ）を含む、方法。
【請求項４】
請求項３に記載の方法であって、前記ＤＣＩは、前記変調次数および前記符号レートを指し示すための変調符号化方式フィールド（ＭＣＳフィールド）を備える、方法。
【請求項５】
請求項４に記載の方法であって、前記ＭＣＳフィールドはＭＣＳインデックスを含み、前記ＭＣＳインデックスは、前記変調次数および前記符号レートを判定するためにＭＣＳテーブルを探索するために前記ＵＥによって使用される、方法。
【請求項６】
請求項２に記載の方法であって、前記信号は、物理レイヤよりも上位レイヤのシグナリングである、方法。
【請求項７】
請求項６に記載の方法であって、前記信号は、無線リソース制御（ＲＲＣ）信号である、方法。
【請求項８】
請求項１から７のいずれか１項に記載の方法であって、前記有効なリソースエレメント数を判定することは、スロット構成、ミニスロット構成、制御領域構成、参照シンボル構成、周波数分割複信、および時分割複信のうちの少なくとも１つ以上に基づく、方法。
【請求項９】
請求項１から８のいずれか１項に記載の方法であって、前記有効なリソースエレメント数を判定することは、所定の有効なリソースエレメント数のセットからネットワークノードによって選択された有効なリソースエレメント数を、前記ネットワークノードから受信することを含む、方法。
【請求項１０】
請求項９に記載の方法であって、選択された前記有効なリソースエレメント数は、ＲＲＣシグナリングを介して受信される、方法。
【請求項１１】
請求項９に記載の方法であって、選択された前記有効なリソースエレメント数は、ＤＣＩを介して受信される、方法。
【請求項１２】
請求項１から８のいずれか１項に記載の方法であって、前記有効なリソースエレメント数を判定することは、アップリンク伝送のための第１の有効なリソースエレメント数と、ダウンリンク伝送のための第２の有効なリソースエレメント数と、サイドリンク伝送のための第３のリソースエレメント数とのうちの１つ以上を判定することを含む、方法。
【請求項１３】
請求項１２に記載の方法であって、前記ダウンリンク伝送のための前記有効なリソースエレメント数（
0006972161.tif 000037
）を判定することは、
0006972161.tif 000038
を計算することを含み、ｎOFDMは前記データ伝送に使用されるＯＦＤＭシンボル数であり、
0006972161.tif 000039
は位相追従参照信号（ＰＴＲＳ）に使用されるＰＲＢあたりのリソースエレメントの平均数であり、１２は、ＰＲＢ内のサブキャリア数を示す、方法。
【請求項１４】
請求項１から１３のいずれか１項に記載の方法であって、判定された前記ＴＤＢＳがサイズ単位と整合するように調整することをさらに含む、方法。
【請求項１５】
請求項１４に記載の方法であって、判定された前記ＴＤＢＳを、サイズ単位Ｃと整合するように調整することは、
0006972161.tif 000040
を計算することを含み、ＮPRBは前記割り当てられたリソースブロック数であり、ＮREは前記有効なリソースエレメント数であり、ｖは前記レイヤ数であり、Ｑmは前記変調次数であり、ｒは前記符号レートであり、
0006972161.tif 000041
は天井関数である、方法。
【請求項１６】
請求項１５に記載の方法であって、前記サイズ単位Ｃは伝送データブロックが複数の符号ブロックに再分割されるときに、すべての符号ブロックが等しいサイズであるように前記ＴＤＢＳを調整するために使用される、方法。
【請求項１７】
請求項１から１６のいずれか１項に記載の方法であって、前記有効なリソースエレメント数は、物理リソースブロック（ＰＲＢ）あたりのリソースエレメント数を含む、方法。
【請求項１８】
請求項１に記載の方法であって、前記有効なリソースエレメント数を判定することは、ＰＲＢあたりの時間領域シンボルあたりの有効なリソースエレメント数を判定することを含む、方法。
【請求項１９】
請求項１８に記載の方法であって、前記時間領域シンボルは、アップリンク伝送のためのＯＦＤＭシンボルおよびＤＦＴ−ＳＣ−ＯＦＤＭシンボルのうちの１つを含む、方法。
【請求項２０】
請求項１８または１９に記載の方法であって、前記受信されたパラメータと、前記判定された有効なリソースエレメント数とに基づいて、前記伝送データブロックサイズを判定することは、
0006972161.tif 000042
を計算することをさらに含み、ＮPRBは前記割り当てられたリソースブロック数であり、
0006972161.tif 000043
はＰＲＢあたりのシンボルあたりの前記有効なリソースエレメント数であり、ｖは前記レイヤ数であり、Ｑmは前記変調次数であり、ｒは前記符号レートであり、Ｎsymbは割り当てられた時間領域シンボルの数である、方法。
【請求項２１】
請求項２０に記載の方法であって、判定された前記ＴＤＢＳをサイズ単位と整合させるように調整することをさらに含む、方法。
【請求項２２】
請求項２１に記載の方法であって、判定された前記ＴＤＢＳを、サイズ単位Ｃと整合させるように調整することが、
0006972161.tif 000044
を計算することを含み、
0006972161.tif 000045
は天井関数である、方法。
【請求項２３】
ネットワークインタフェースと、前記ネットワークインタフェースに接続された処理回路とを備えるユーザ機器（ＵＥ）であって、前記処理回路は、
データ伝送のためのパラメータであって、レイヤ数、割り当てられたリソースブロック数、変調次数、および符号レートを少なくとも含む前記パラメータを指示する信号をネットワークノードから受信し、
前記データ伝送のためのリソースブロックごとの有効なリソースエレメント数を判定し、
受信した前記信号によって指示される前記パラメータおよび判定された前記有効なリソースエレメント数に基づいて伝送データブロックサイズ（ＴＤＢＳ）を計算することであって、計算された前記ＴＤＢＳは
0006972161.tif 000046
の値に依存し、ＮPRBは前記割り当てられたリソースブロック数であり、ＮREは前記有効なリソースエレメント数であり、ｖは前記レイヤ数であり、Ｑmは前記変調次数であり、ｒは前記符号レートである、計算し、
判定された前記伝送データブロックサイズに基づいて前記ネットワークノードにデータを送信する、
よう構成される、ユーザ機器（ＵＥ）。
【請求項２４】
請求項２３に記載のＵＥであって、前記処理回路は、プロセッサと、それに接続されたメモリとを備え、前記メモリは、実行された場合に前記プロセッサに、取得することと、前記有効なリソースエレメント数を判定することと、前記伝送データブロックサイズを判定することと、送信することと、を実行させる命令を格納する、ユーザ機器（ＵＥ）。
【請求項２５】
請求項２４に記載のＵＥであって、前記プロセッサは、前記レイヤ数と、前記変調次数と、前記符号レートと、前記割り当てられたリソースブロック数とに関する情報を含む信号をネットワークノードから受信するようにさらに構成される、ユーザ機器（ＵＥ）。
【請求項２６】
請求項２５に記載のＵＥであって、前記情報は、ダウンリンク制御情報（ＤＣＩ）を含む、ユーザ機器（ＵＥ）。
【請求項２７】
請求項２６に記載のＵＥであって、前記ＤＣＩは、前記変調次数および前記符号レートを指し示すための変調符号化方式フィールド（ＭＣＳフィールド）を備える、ユーザ機器（ＵＥ）。
【請求項２８】
請求項２７に記載のＵＥであって、前記ＭＣＳフィールドは、前記変調次数および前記符号レートを判定するためにＭＣＳテーブルを探索するために前記ＵＥによって使用される、ＭＣＳインデックスを含む、ユーザ機器（ＵＥ）。
【請求項２９】
請求項２５に記載のＵＥであって、前記信号は物理レイヤよりも上位レイヤのシグナリングである、ユーザ機器（ＵＥ）。
【請求項３０】
請求項２９に記載のＵＥであって、前記信号は、無線リソース制御（ＲＲＣ）信号である、ユーザ機器（ＵＥ）。
【請求項３１】
請求項２４から３０のいずれか１項に記載のＵＥであって、前記プロセッサは、スロット構成、ミニスロット構成、制御領域構成、参照シンボル構成、周波数分割複信、および時分割複信のうちの少なくとも１つ以上に基づいて、前記有効なリソースエレメント数を判定するようにさらに構成される、ユーザ機器（ＵＥ）。
【請求項３２】
請求項２４から３１のいずれか１項に記載のＵＥであって、前記プロセッサは、所定の有効なリソースエレメント数のセットから選択された有効なリソースエレメント数をネットワークノードから受信するようにさらに構成される、ユーザ機器（ＵＥ）。
【請求項３３】
請求項３２に記載のＵＥであって、前記プロセッサは、ＲＲＣシグナリングを介して前記選択された有効なリソースエレメント数を受信するようにさらに構成される、ユーザ機器（ＵＥ）。
【請求項３４】
請求項３２に記載のＵＥであって、前記プロセッサは、ＤＣＩを介して前記選択された有効なリソースエレメント数を受信するようにさらに構成される、ユーザ機器（ＵＥ）。
【請求項３５】
請求項２４から３１のいずれか１項に記載のＵＥであって、前記プロセッサは、アップリンク伝送のための第１の有効なリソースエレメント数と、ダウンリンク伝送のための第２の有効なリソースエレメント数と、サイドリンク伝送のための第３のリソースエレメント数と、のうちの１つ以上を判定するようにさらに構成される、ユーザ機器（ＵＥ）。
【請求項３６】
請求項３５に記載のＵＥであって、前記プロセッサは、
0006972161.tif 000047
を計算することで、前記ダウンリンク伝送のための有効なリソースエレメント数（
0006972161.tif 000048
）を判定するようにさらに構成され、ｎOFDMは前記データ伝送に使用されるＯＦＤＭシンボル数であり、
0006972161.tif 000049
は位相追従参照信号（ＰＴＲＳ）に使用されるＰＲＢあたりのリソースエレメントの平均数であり、１２は、ＰＲＢ内のサブキャリア数を指す、ユーザ機器（ＵＥ）。
【請求項３７】
請求項２４から３６のいずれか１項に記載のＵＥであって、前記プロセッサは、判定された前記ＴＤＢＳをサイズ単位と整合させるように調整するようにさらに構成される、ユーザ機器（ＵＥ）。
【請求項３８】
請求項３７に記載のＵＥであって、前記プロセッサは、
0006972161.tif 000050
を計算することによって、判定された前記ＴＤＢＳがサイズ単位Ｃと整列されるように調整するようにさらに構成され、ＮPRBは前記割り当てられたリソースブロック数であり、ＮREは前記有効なリソースエレメント数であり、ｖは前記レイヤ数であり、Ｑmは前記変調次数であり、ｒは前記符号レートであり、
0006972161.tif 000051
は天井関数である、ユーザ機器（ＵＥ）。
【請求項３９】
請求項３８に記載のＵＥであって、前記サイズ単位Ｃは伝送データブロックが複数の符号ブロックに再分割される場合に、すべての符号ブロックが等しいサイズであるように、前記ＴＤＢＳを調整するために使用される、ユーザ機器（ＵＥ）。
【請求項４０】
請求項２３から３９のいずれか１項に記載のＵＥであって、前記有効なリソースエレメント数は、物理リソースブロック（ＰＲＢ）あたりの有効なリソースエレメント数を含む、ユーザ機器（ＵＥ）。
【請求項４１】
請求項２４に記載のＵＥであって、前記プロセッサは、ＰＲＢあたりの時間領域シンボルあたりの有効なリソースエレメント数を判定するようにさらに構成される、ユーザ機器（ＵＥ）。
【請求項４２】
請求項４１に記載のＵＥであって、前記時間領域シンボルは、ＯＦＤＭシンボルおよびＤＦＴ−ＳＣ−ＯＦＤＭシンボルのうちの１つを備える、ユーザ機器（ＵＥ）。
【請求項４３】
請求項４１または４２に記載のＵＥであって、前記プロセッサは、
0006972161.tif 000052
をさらに計算することによって、前記取得されたパラメータと、前記判定された有効なリソースエレメント数とに基づいて、前記伝送データブロックサイズを判定するようにさらに構成され、ＮPRBは前記割り当てられたリソースブロック数であり、
0006972161.tif 000053
はＰＲＢあたりのシンボルあたりの前記有効なリソースエレメント数であり、ｖは前記レイヤ数であり、Ｑmは前記変調次数であり、ｒは前記符号レートであり、Ｎsymbは割り当てられた時間領域シンボルの数である、ユーザ機器（ＵＥ）。
【請求項４４】
請求項４３に記載のＵＥであって、前記プロセッサは、前記判定されたＴＤＢＳをサイズ単位と整合させるように調整するようにさらに構成される、ユーザ機器（ＵＥ）。
【請求項４５】
請求項４４に記載のＵＥであって、前記プロセッサは、
0006972161.tif 000054
を計算することによって、前記判定されたＴＤＢＳがサイズ単位Ｃと整合されるように調整するようにさらに構成され、
0006972161.tif 000055
は天井関数である、ユーザ機器（ＵＥ）。
【請求項４６】
ネットワークノードのための方法であって、
データ伝送のためのパラメータであって、レイヤ数、割り当てられたリソースブロック数、変調次数、および符号レートを少なくとも含む前記パラメータを送信することと、
有効なリソースエレメント数を送信することと、
前記送信されたパラメータおよび前記有効なリソースエレメント数に基づき、
0006972161.tif 000056
に基づく伝送データブロックサイズを判定することであって、ＮPRBは前記割り当てられたリソースブロック数であり、ＮREは前記有効なリソースエレメント数であり、ｖは前記レイヤ数であり、Ｑmは前記変調次数であり、ｒは前記符号レートである、判定することと、
判定された前記伝送データブロックサイズに基づいてデータを送信することと、
を含む方法。
【請求項４７】
請求項４６に記載の方法であって、前記データ伝送のための前記パラメータを送信することは、前記レイヤ数、前記割り当てられたリソースブロック数、前記変調次数、および前記符号レートに関する情報を含む信号を送信することを含む、方法。
【請求項４８】
請求項４７に記載の方法であって、前記情報は、前記変調および前記符号レートを指し示すためのＭＳＣフィールドと、前記割り当てられたリソースブロック数を指し示すためのリソース割り当てフィールドと、前記レイヤ数を指し示すためのフィールドと、を有するＤＣＩを含む、方法。
【請求項４９】
請求項４７に記載の方法であって、前記信号は、物理レイヤよりも上位レイヤのシグナリングである、方法。
【請求項５０】
請求項４６から４９のいずれか１項に記載の方法であって、前記有効なリソースエレメント数を送信する前に、所定の有効なリソースエレメント数のセットから有効なリソースエレメント数を選択することをさらに含む、方法。
【請求項５１】
請求項４６から４９のいずれか１項に記載の方法であって、前記有効なリソースエレメント数は、スロット構成、ミニスロット構成、制御領域構成、参照シンボル構成、周波数分割複信、および時分割複信のうちの少なくとも１つ以上に基づく、方法。
【請求項５２】
請求項４６から５１のいずれか１項に記載の方法であって、前記有効なリソースエレメント数を送信することは、ＤＣＩを含む信号において前記有効なリソースエレメント数を送信することを含む、方法。
【請求項５３】
請求項４６から５１のいずれか１項に記載の方法であって、前記有効なリソースエレメント数を送信することは、物理レイヤよりも上位レイヤのシグナリングを介して、信号における前記有効なリソースエレメント数を送信することを含む、方法。
【請求項５４】
ネットワークインタフェースと、前記ネットワークインタフェースに接続された処理回路とを備えるネットワークノードであって、処理回路は、
データ伝送のためのパラメータであって、レイヤ数、割り当てられたリソースブロック数、変調次数、および符号レートを含む前記パラメータを送信し、 
有効なリソースエレメント数を送信し、
前記送信されたパラメータおよび有効なリソースエレメント数に基づき、
0006972161.tif 000057
に基づく伝送データブロックサイズを判定することであって、ＮPRBは前記割り当てられたリソースブロック数であり、ＮREは前記有効なリソースエレメント数であり、ｖは前記レイヤ数であり、Ｑmは前記変調次数であり、ｒは前記符号レートである、判定し、
判定された前記伝送データブロックサイズに基づいてデータを送信する、
ように構成されるネットワークノード。
【請求項５５】
請求項５４に記載のネットワークノードであって、前記処理回路は、プロセッサと、メモリとを備え、前記メモリは実行されると、前記プロセッサに、前記パラメータを送信し、前記有効なリソースエレメント数を送信し、前記データ伝送を受信させる命令を含む、ネットワークノード。
【請求項５６】
請求項５５に記載のネットワークノードであって、前記プロセッサは、前記レイヤ数、前記割り当てられたリソースブロック数、前記変調次数、および前記符号レートに関する情報を含む信号を送信するように構成される、ネットワークノード。
【請求項５７】
請求項５６に記載のネットワークノードであって、前記情報は、前記変調および前記符号レートを指し示すためのＭＳＣフィールドと、前記割り当てられたリソースブロック数を指し示すためのリソース割り当てフィールドと、前記レイヤ数を指し示すためのフィールドとを有するＤＣＩを備える、ネットワークノード。
【請求項５８】
請求項５６に記載のネットワークノードであって、前記プロセッサは、物理レイヤよりも上位レイヤのシグナリングを送信するように構成される、ネットワークノード。
【請求項５９】
請求項５５から５８のいずれか１項に記載のネットワークノードであって、前記プロセッサは前記有効なリソースエレメント数を送信する前に、所定の有効なリソースエレメント数のセットから有効なリソースエレメント数を選択するように構成される、ネットワークノード。
【請求項６０】
請求項５５から５８のいずれか１項に記載のネットワークノードであって、前記プロセッサは、スロット構成、ミニスロット構成、制御領域構成、参照シンボル構成、周波数分割複信、および時分割複信のうちの少なくとも１つ以上に基づいて、前記有効なリソースエレメント数を判定するように構成される、ネットワークノード。
【請求項６１】
請求項５５から６０のいずれか１項に記載のネットワークノードであって、前記プロセッサは、ＤＣＩを含む信号を介して前記有効なリソースエレメント数を送信するように構成される、ネットワークノード。
【請求項６２】
請求項５５から６０のいずれか１項に記載のネットワークノードであって、前記プロセッサは、物理レイヤよりも上位レイヤのシグナリングを介して、信号における前記有効なリソースエレメント数を送信するように構成される、ネットワークノード。
【請求項６３】
コンピュータ可読プログラムコードを含むコンピュータプログラムであって、前記コンピュータ可読プログラムコードは、
データ伝送のためのパラメータであって、レイヤ数、割り当てられたリソースブロック数、変調次数、および符号レートを少なくとも含む前記パラメータを指示する信号をネットワークノードから受信するためのコンピュータ可読プログラムコードと、
前記データ伝送のためのリソースブロックごとの有効なリソースエレメント数を判定するためのコンピュータ可読プログラムコードと、
受信した前記信号によって指示される前記パラメータおよび判定された前記有効なリソースエレメント数に基づいて伝送データブロックサイズ（ＴＤＢＳ）を計算することであって、計算された前記ＴＤＢＳは
0006972161.tif 000058
の値に依存し、ＮPRBは前記割り当てられたリソースブロック数であり、ＮREは前記有効なリソースエレメント数であり、ｖは前記レイヤ数であり、Ｑmは前記変調次数であり、ｒは前記符号レートである、計算するためのコンピュータ可読プログラムコードと、
判定された前記伝送データブロックサイズに基づいて前記ネットワークノードにデータを送信するためのコンピュータ可読プログラムコードと、
を含むコンピュータプログラム。
【請求項６４】
請求項６３に記載のコンピュータプログラムであって、前記コンピュータ可読プログラムコードは、請求項１から２２のいずれかに記載の方法に従って動作するコンピュータ可読プログラムコードをさらに含む、コンピュータプログラム。
【請求項６５】
コンピュータ可読プログラムコードを含むコンピュータプログラムであって、前記コンピュータ可読プログラムコードは、
データ伝送のためのパラメータであって、レイヤ数、割り当てられたリソースブロック数、変調次数、および符号レートを少なくとも含む前記パラメータを送信するためのコンピュータ可読プログラムコードと、
有効なリソースエレメント数を送信するためのコンピュータ可読プログラムコードと、
前記送信されたパラメータおよび前記有効なリソースエレメント数に基づき、
0006972161.tif 000059
に基づく伝送データブロックサイズを判定することであって、ＮPRBは前記割り当てられたリソースブロック数であり、ＮREは前記有効なリソースエレメント数であり、ｖは前記レイヤ数であり、Ｑmは前記変調次数であり、ｒは前記符号レートである、判定するためのコンピュータ可読プログラムコードと、
判定された前記伝送データブロックサイズに基づいてデータを送信するためのコンピュータ可読プログラムコードと、
を含むコンピュータプログラム。
【請求項６６】
請求項６５に記載のコンピュータプログラムであって、前記コンピュータ可読プログラムコードは、請求項４６から５３のいずれかに記載の方法に従って動作するためのコンピュータ可読プログラムコードをさらに含む、コンピュータプログラム。
【請求項６７】
請求項１に記載の方法であって、前記パラメータを取得することは、前記変調次数と、前記符号レートと、前記割り当てられたリソースブロック数とに関する情報を含む信号をネットワークノードから受信することを含み、前記レイヤ数は予め定義される、方法。
【請求項６８】
請求項２４に記載のＵＥであって、前記プロセッサは、前記変調次数と、前記符号レートと、前記割り当てられたリソースブロック数とに関する情報を含む信号をネットワークノードから受信するようにさらに構成され、前記レイヤ数は予め定義される、ユーザ機器（ＵＥ）。
【請求項６９】
請求項４６に記載の方法であって、前記データ伝送のための前記パラメータを送信することは、前記割り当てられたリソースブロック数、前記変調次数、および前記符号レートに関する情報を含む信号を送信することを含み、前記レイヤ数は予め定義される、方法。
【請求項７０】
請求項５５に記載のネットワークノードであって、前記プロセッサは、前記割り当てられたリソースブロック数、前記変調次数、および前記符号レートに関する情報を含む信号を送信するように構成され、前記レイヤ数は予め定義される、ネットワークノード。
【発明の詳細な説明】
【技術分野】
【０００１】
＜関連出願＞
本出願は２０１７年３月２０日に米国特許商標庁に出願された「伝送データブロックサイズの判定」という名称の米国仮特許出願第６２／４７３，８３９号の優先権の利益を主張するものであり、その内容は参照により本明細書に組み込まれる。
【０００２】
＜技術分野＞
本説明は一般に、無線通信システムに関し、特に、そのようなシステム内の伝送データブロックサイズを判定することに関する。
【背景技術】
【０００３】
３ＧＰＰ（第三世代パートナーシッププロジェクト）では、５Ｇ用の新規無線（ＮＲ）インタフェースと総称される新規プロトコルに関する検討がある。様々な用語が、この新世代および次世代技術のために当技術分野で使用されている。ＮＲおよび５Ｇという用語は、本開示において互換的に使用される。さらに、基地局は、ｅＮＢの代わりにｇＮＢと呼ばれることができる。あるいは、送受信点（ＴＲＰ）という用語を使用することもできる。
【０００４】
＜スロット構造＞
【０００５】
ＮＲスロットは現在の合意によれば、（ＯＦＤＭサブキャリア間隔≦６０ｋＨｚの場合)スロットあたり７または１４シンボル、または（ＯＦＤＭサブキャリア間隔＞６０ｋＨｚの場合）スロットあたり１４シンボルのいずれかの、いくつかの直交周波数分割多重（ＯＦＤＭ）シンボルからなる。図１ａは、一例として１４個のＯＦＤＭシンボルを有するサブフレームを示す。図１ａでは、ＴsおよびＴsymbはそれぞれスロットおよびＯＦＤＭシンボル持続時間を示す。
【０００６】
さらに、ダウンリンク／アップリンク（ＤＬ／ＵＬ）過渡期間、またはＤＬ伝送とＵＬ伝送の両方に対応するために、スロットを短縮することもできる。可能なスロットの変形を図１ｂに示す。例えば、図１ｂは、上から下へ、遅延開始を伴うＤＬのみの伝送を伴うスロット、ＵＬパートを伴うＤＬが多い伝送を伴うスロット、ＤＬ制御を伴うＵＬが多い伝送を伴うスロット、およびＵＬのみの伝送を伴うスロットを示す。
【０００７】
さらに、ＮＲは、ミニスロットも定義する。ミニスロットは、スロットよりも時間的に短く（１または２シンボルからスロット内のシンボル数マイナス１までの現在の合意によれば）、任意のシンボルで開始することができる。ミニスロットは、スロットの伝送持続時間が長すぎるか、または次のスロット開始（スロットアラインメント）の発生が遅すぎる場合に使用される。ミニスロットの用途にはとりわけ、待ち時間のクリティカルな伝送（この場合、ミニスロット長とミニスロットの頻繁な機会の両方が重要である）と、Ｌｉｓｔｅｎ−Ｂｅｆｏｒｅ−Ｔａｌｋが成功した直後に伝送を開始すべき非ライセンススペクトル（ここではミニスロットの頻繁な機会が特に重要である）とが含まれる。ミニスロットの例を図１ｃに示す（例示的なミニスロットは、図１ｃに示すＯＦＤＭシンボルである）。
【０００８】
＜制御情報＞
【０００９】
ＰＤＣＣＨ（物理ダウンリンク制御チャネル）はダウンリンク制御情報（ＤＣＩ）、例えば、ダウンリンクスケジューリング割当およびアップリンクスケジューリング許可のためにＮＲにおいて使用される。ＰＤＣＣＨは一般に、スロットの初めに送信され、同じまたは後のスロット内のデータに関連する（ミニスロットの場合、ＰＤＣＣＨは、通常のスロット内で送信されうる）。ＰＤＣＣＨの異なるフォーマット（サイズ）は異なるＤＣＩペイロード・サイズおよび異なるアグリゲーションレベル（すなわち、所与のペイロードサイズに対する異なる符号レート）を処理することが可能である。ＵＥは、異なるアグリゲーションレベルおよびＤＣＩペイロードサイズのいくつかのＰＤＣＣＨ候補をモニタ（または探索）するように（暗黙的および／または明示的に）構成される。有効なＤＣＩメッセージを検出すると（すなわち、候補の復号が成功し、ＤＣＩは、ＵＥがモニタするように指示されたアイデンティティ（ＩＤ）を含むと）、ＵＥはＤＣＩに従う（例えば、対応するダウンリンクデータを受信するか、またはアップリンクで送信する）。
【００１０】
ＮＲコンセプトの議論において、複数のＵＥによって受信される「ブロードキャストされる制御チャネル」の導入が考慮される。このようなチャネルは、「グループ共通ＰＤＣＣＨ」と呼ばれている。このようなチャネルの正確な内容は議論中である。このようなチャネルに入れることができる情報の一例はスロットフォーマットに関する情報、すなわち、あるスロットがアップリンクであるかダウンリンクであるか、スロットのどの部分がＵＬまたはＤＬであるかに関する情報であり、このような情報は例えば、動的ＴＤＤ(時分割複信）システムにおいて有用であり得る。
【００１１】
＜伝送パラメータの判定＞
【００１２】
Ｌｏｎｇ  Ｔｅｒｍ  Ｅｖｏｌｕｔｉｏｎ（ＬＴＥ）の既存のプロトコルでは、ダウンリンク制御情報（ＤＣＩ）がダウンリンク伝送をどのように受信するか、またはアップリンクにおいて送信するかをＵＥに指示するためのいくつかのパラメータを搬送する。例えば、ＦＤＤ（周波数分割複信）ＬＴＥ  ＤＣＩフォーマット１Ａは、ＰＵＣＣＨ（物理アップリンク制御チャネル）のための、局所型／分散型仮想リソースブロック（ＶＲＢ）割当フラグ、リソースブロック割当、ＭＣＳ（変調および符号化方式）、ＨＡＲＱプロセス番号、新規データ指標（Ｎｅｗ  ｄａｔａ  ｉｎｄｉｃａｔｏｒ）、冗長化バージョン、およびＴＰＣ（送信電力制御）コマンドのようなパラメータを搬送する。
【００１３】
ＵＥがシステムにおいて受信または送信することができるための重要なパラメータの１つは、チャネル符号化および変調されるデータブロックのサイズ（トランスポートブロックサイズ（ＴＢＳ）と呼ばれる）である。ＬＴＥでは、これは以下のように判定される。
【００１４】
−ＵＥは、ＤＣＩによって与えられる変調および符号化スキームを使用して、変調および符号化スキーム（ＭＣＳ）テーブルからトランスポートブロックサイズ（ＴＢＳ）インデックスＩTBSを読み取る。ＭＣＳテーブルの一例を表１に示す。
【００１５】
−ＵＥはＤＣＩにおいて与えられたリソースブロック割当から、物理無線ブロック（ＰＲＢ）の数ＮPRBを判定する。
【００１６】
−ＵＥはＴＢＳインデックスＩTBSおよびＰＲＢ数ＮPRBを使用し、ＴＢＳテーブルから実際のトランスポートブロックサイズを読み取る。一例として、ＴＢＳテーブルの一部を表２に示す。
0006972161.tif 000002
0006972161.tif 000003
【００１７】
＜既存のＬＴＥアプローチの課題＞
【００１８】
（課題１）
【００１９】
ＬＴＥ  ＴＢＳテーブルは、当初、各割り当てられたＰＲＢ内で利用可能なリソースエレメント（ＲＥ）の数、ならびにデータ伝送のためのＯＦＤＭシンボルの数に関する特定の仮定を用いて設計された。異なる量の参照シンボルのオーバヘッドを有する異なる伝送モードがＬＴＥにおいて後に導入されたとき、新しい伝送モードのために最適化するために別のＴＢＳテーブルを定義することが困難になった。少数の限定された場合に対して最適化するために、少数の新たな行がＬＴＥ  ＴＢＳテーブルに導入された。明示的なＴＢＳテーブルのアプローチは、ＬＴＥシステムの継続的な発展および改善を妨げることが分かる。
【００２０】
（課題２）
【００２１】
データブロックサイズを判定する既存のアプローチは、異なるスロットサイズまたは構造を用いた高性能動作を提供しない。これは、ＬＴＥにおいてはサブフレームが様々なサイズであり得るので、ＬＴＥシステムにおいて問題である。通常のサブフレームは異なるサイズの制御領域を有してもよく、したがって、データ領域のために異なるサイズが残る。ＴＤＤ  ＬＴＥは、特殊サブフレーム（ＤｗＰＴＳ）のダウンリンク部分において異なるサイズの特殊サブフレームをサポートする。様々な異なるサイズのサブフレームが表３に要約されている。
【００２２】
しかしながら、ＬＴＥ  ＭＣＳおよびＴＢＳテーブルは、１１個のＯＦＤＭシンボルがデータ伝送に利用可能であるという仮定に基づいて設計される。すなわち、物理ダウンリンク共有チャネル（ＰＤＳＣＨ）のために利用可能なＯＦＤＭシンボルの実際の数が１１と異なる場合、伝送のスペクトル効率は表４に示されるものから逸脱する。第１に、ＰＤＳＣＨのためのＯＦＤＭシンボルの実際の数が想定される１１シンボルよりも実質的に少ない場合、符号レートは過度に高くなる。これらの場合は、表４において暗い陰影で強調表示されている。現在、ＬＴＥでは、ＵＥが０．９３０より高い有効符号レートを有するＰＤＳＣＨ伝送を復号することを期待されない。移動局はこのような高い符号レートを復号することができないので、これらの暗い陰影のＭＣＳに基づく送信は失敗し、再送信が必要となる。第２に、無線リソースの仮定の不一致により、ＭＣＳのいくつかの符号レートは、広帯域無線システムのための最適範囲外に逸脱することになる。一例として、ダウンリンク伝送のための広範なリンク性能評価に基づいて、ＱＰＳＫ（直交位相シフトキーイング）および１６ＱＡＭ（直交振幅変調）のための符号レートは、０．７０より高くてはならない。さらに、１６ＱＡＭおよび６４ＱＡＭの符号レートは、それぞれ０．３２および０．４０より低くてはならない。光陰影で示されるように、表４のＭＣＳのいくつかは、準最適な符号レートをもたらす。
【００２３】
送信が不適切な最適以下の符号レートに基づく場合、データスループットが低減されるので、基地局における良好なスケジューリングの実装は、表４に示される陰影付きＭＣＳを使用することを回避すべきである。ＰＤＳＣＨのためのＯＦＤＭシンボルの実際の数が仮定された１１シンボルから逸脱するとき、使用可能なＭＣＳの数は著しく減少すると結論付けることができる。
0006972161.tif 000004
0006972161.tif 000005
【００２４】
（課題３）
【００２５】
スロット構造に関する上記のセクションで述べたように、ＮＲのためのスロット構造は、ＵＥが受信または送信するために割り当てられるリソースの量の範囲がはるかに広いほど、より柔軟になる傾向がある。（データ伝送のためのＯＦＤＭシンボルの数と同様に、各割り当てられたＰＲＢ内で利用可能なリソースエレメント（ＲＥ）の数に関する特定の仮定について先に述べたように）ＴＢＳテーブルを設計する基礎は著しく減少する。
【発明の概要】
【００２６】
本開示のいくつかの実施形態は上記の課題のいくつかまたはすべてに対処することができ、かつ／または無線アクセスシステムのより容易な発展または変更を可能にすることができ、かつ／または無線アクセスネットワークの改善されたパフォーマンスを可能にすることができる伝送データブロックサイズ（ＴＤＢＳ）を判定するための方法、ノード、およびコンピュータプログラムを提供する。本開示のいくつかの実施形態によれば、伝送データブロックサイズは、変調符号化方式（ＭＣＳ）インデックスと、割当てられた物理リソースブロック（ＰＲＢ）あたりの有効なリソースエレメント（ＲＥ）数とによって判定されうる。
【００２７】
一態様によれば、いくつかの実施形態は、伝送データブロックサイズを判定するためにユーザ機器によって実行される方法を含む。この方法は一般に、データ伝送のためのパラメータであって、少なくともいくつかのレイヤと、割り当てられたリソースブロックの数と、変調次数と、符号レートとを含むパラメータを取得することと、有効なリソースエレメント数を判定することと、取得されたパラメータおよび判定された有効なリソースエレメント数に基づいて伝送データブロックサイズ（ＴＤＢＳ）を判定することと、判定された伝送データブロックサイズに基づいてデータを送受信することのうちの１つを実行することとを備える。
【００２８】
別の態様によれば、いくつかの実施形態は本明細書で説明されるような１つまたは複数の機能（たとえば、アクション、動作、ステップなど）を実行するように構成された、または動作可能なユーザ機器を含む。
【００２９】
いくつかの実施形態では、ユーザ機器は処理回路を備えてもよく、処理回路は、データ伝送のためのパラメータであって、少なくともいくつかのレイヤと、いくつかの割り当てられたリソースブロックと、変調次数と、符号レートとを含むパラメータを取得し、有効なリソースエレメント数を判定し、取得されたパラメータおよび判定された有効なリソースエレメント数に基づいて伝送データブロックサイズ（ＴＤＢＳ）を判定し、判定された伝送データブロックサイズに基づいてデータの送受信のうちの１つを実行する、ように構成される。
【００３０】
いくつかの実施形態では、ユーザ機器（ＵＥ）が本明細書で説明するＵＥの１つまたは複数の機能を実行するように構成された１つまたは複数の機能モジュールを備えることができる。
【００３１】
別の態様によれば、いくつかの実施形態はＵＥの処理回路（例えば、少なくとも１つのプロセッサ）によって実行されると、本明細書で説明されるような１つまたは複数のＵＥ機能を実行するように処理回路を構成する命令を備えるコンピュータプログラム製品を記憶する非一時的なコンピュータ可読媒体を含む。
【００３２】
別の態様によれば、データを送信または受信するための方法が提供される。この方法は、データ伝送のためのパラメータであって、少なくともいくつかのレイヤと、いくつかの割り当てられたリソースブロックと、変調次数と、符号レートとを含むパラメータを送信することと、有効なリソースエレメント数を送信することと、送信されたパラメータと有効なリソースエレメント数とに基づいて判定される伝送データブロックサイズに基づいてデータを受信および送信のうちの１つを実行することとを備える。
【００３３】
さらに、別の態様によれば、データを送信または受信するためのネットワークノードが提供される。ネットワークノードは処理回路を備え、処理回路は、データ伝送のためのパラメータであって、いくつかのレイヤと、いくつかの割り当てられたリソースブロックと、変調次数と、符号レートとを含むパラメータを送信し、有効なリソースエレメント数を送信し、送信されたパラメータと有効なリソースエレメント数とに基づいて判定される伝送データブロックサイズに基づいて、受信データと送信データとのうちの１つを実行する、ように構成される。
【００３４】
この概要は、すべての想定された実施形態の広範な概観ではなく、任意のまたはすべての実施形態の重要なまたは重大な態様または特徴を識別すること、または任意のまたはすべての実施形態の範囲を描写することを意図していない。その意味で、他の態様および特徴は添付図面と併せて以下の特定の実施形態の説明を検討することにより、当業者には明らかになるのであろう。
【図面の簡単な説明】
【００３５】
例示的な実施形態を、以下の図面を参照してより詳細に説明する。
【００３６】
【図１ａ】ＮＲシステムによるスロット、スロット変形例、およびミニスロットの例を示す。
【図１ｂ】ＮＲシステムによるスロット、スロット変形例、およびミニスロットの例を示す。
【図１ｃ】ＮＲシステムによるスロット、スロット変形例、およびミニスロットの例を示す。
【００３７】
【図２】本開示の実施形態が実施され得る無線通信システムの一例を示す。
【００３８】
【図３】本開示のいくつかの実施形態に係る無線ノードの動作を示すフローチャートである。
【００３９】
【図４】本開示の他の実施形態に係る無線ノードの動作を示すフローチャートである。
【００４０】
【図５】本開示のいくつかの実施形態に係る無線装置を示すブロック図である。
【図６】本開示のいくつかの実施形態に係る無線装置を示すブロック図である。
【００４１】
【図７】本開示のいくつかの実施形態に係る無線アクセスノードを示すブロック図である。
【図８】本開示のいくつかの実施形態に係る無線アクセスノードを示すブロック図である。
【図９】本開示のいくつかの実施形態に係る無線アクセスノードを示すブロック図である。
【００４２】
【図１０】いくつかの実施形態に係るユーザ機器（ＵＥ）における方法のフローチャートを示す。
【００４３】
【図１１】いくつかの実施形態に係るネットワークノードにおける方法のフローチャートを示す。
【発明を実施するための形態】
【００４４】
以下に記載される実施形態は、当業者が実施形態を実施することを可能にするための情報を表す。添付の図面に照らして以下の説明を読むと、当業者は説明の概念を理解し、本明細書で特に対処されていないこれらの概念の適用を認識するのであろう。これらの概念およびアプリケーションは、説明の範囲内にあることを理解されたい。
【００４５】
以下の記載では、数多くの特定の詳細を記載する。しかしながら、実施形態は、これらの特定の詳細なしに実施されてもよいことが理解される。他の例では、説明の理解を不明瞭にしないために、周知の回路、構造、および技法は詳細に示されていない。当業者であれば、含まれる説明を用いて、過度の実験を行うことなく適切な機能を実施することができるのであろう。
【００４６】
本明細書における「一実施形態」、「実施形態」、「例示的な実施形態」などへの言及は記載された実施形態が特定の特徴、構造、または特性を含むことができることを示すが、すべての実施形態が必ずしも特定の特徴、構造、または特性を含むわけではない。さらに、そのような語句は、必ずしも同じ実施形態を参照しているわけではない。さらに、特定の特徴、構造、または特性が一実施形態に関連して記載される場合、明示的に記載されるか否かに関わらず、他の実施形態に関連して、そのような特徴、構造、または特性を実施することは、当業者の知識の範囲内であることが提出される。
【００４７】
本明細書で使用されるように、単数形「ａ」、「ａｎ」および「ｔｈｅ」は文脈が別段の明確な指示をしない限り、複数形も含むことを意図する。さらに、本明細書で使用される場合、用語「備える」、「備えている」、「含む」、および／または「含んでいる」は述べられた特徴、整数、ステップ、動作、素子、および／または構成素子の存在を指定するが、１つまたは複数の他の特徴、整数、ステップ、動作、素子、構成素子、および／またはそれらのグループの存在または追加を排除しないことを理解されたい。
【００４８】
本出願では用語ＵＥ(ユーザ機器）、端子、移動局、ハンドセット、無線装置などは無線インフラストラクチャと通信する装置を示すために交換可能に使用される。この用語は任意の特定のタイプの装置を意味するものと解釈されるべきではなく、すべての装置に適用されるべきであり、ここに記載される解決策は、本開示の実施形態に係る方法を使用する全ての装置に適用可能である。同様に、基地局は、ＵＥと通信する無線インフラストラクチャ内のノードを示すことが意図される。異なる名前が適用可能であってもよく、基地局の機能は、様々な方法で分散されてもよい。例えば、無線プロトコルの一部を実施する（または実行する）無線ヘッドと、無線プロトコルの他の部分を実施する（または実行する）中央ユニットとが存在し得る。本明細書ではそのような実装を区別せず、代わりに、基地局という用語は本開示によるいくつかの実施形態を実施することができる（または実行するように動作可能である）すべての代替アーキテクチャを指す。
【００４９】
さらに、本明細書で使用されるように、「無線ノード」は、無線アクセスノードまたは無線装置のいずれかである。
【００５０】
本明細書で使用されるように、「無線アクセスノード」は、信号を無線で送信および／または受信するように動作するセルラ通信ネットワークの無線アクセスネットワーク内の任意のノードである。無線アクセスノードのいくつかの例は基地局（例えば、第三世代パートナーシッププロジェクト（３ＧＰＰ）Ｌｏｎｇ  Ｔｅｒｍ  Ｅｖｏｌｕｔｉｏｎ（ＬＴＥ）ネットワーク内の発展型又は拡張型ノードＢ（ｅＮＢ））、または３GＰＰ  Ｎｅｗ  Ｒａｄｉｏ（ＮＲ）ネットワーク内のｇＮＢ（ｇＮＢ））、高電力またはマクロ基地局、低電力基地局（例えば、マイクロ基地局、ピコ基地局、ホームｅＮＢなど）、およびリレーノードを含むが、これらに限定されない。
【００５１】
本明細書で使用されるように、「コアネットワークノード」は、コアネットワーク内の任意のタイプのノードである。コアネットワークノードのいくつかの例は例えば、モビリティ管理エンティティ（ＭＭＥ）、パケットデータネットワーク（ＰＤＮ）ゲートウェイ（Ｐ−ＧＷ）、Ｓｅｒｖｉｃｅ  Ｃａｐａｂｉｌｉｔｙ  Ｅｘｐｏｓｕｒｅ  Ｆｕｎｃｔｉｏｎ（ＳＣＥＦ）などを含む。
【００５２】
本明細書で使用されるように、「無線装置」は（１つまたは複数の）無線アクセスノードに信号を無線で送信および／または受信することによって、セルラ通信ネットワークにアクセスする（すなわち、セルラ通信ネットワークによってサービスされる）任意のタイプのデバイスである。無線装置のいくつかの例は３ＧＰＰネットワークにおけるユーザ機器装置（ＵＥ）およびマシンタイプ通信（ＭＴＣ）装置を含むが、これらに限定されない。
【００５３】
本明細書で使用されるように、「ネットワークノード」は、無線アクセスネットワークの一部またはセルラ通信ネットワーク／システムのコアネットワークのいずれかである任意のノードである。
【００５４】
本明細書で与えられる説明は３ＧＰＰセルラ通信システムに焦点を当てており、したがって、３ＧＰＰ  ＬＴＥ用語または３ＧＰＰ  ＬＴＥ用語に類似する用語がしばしば使用されることに留意されたい。しかしながら、本明細書で開示される概念は、ＬＴＥまたは３ＧＰＰシステムに限定されない。
【００５５】
本明細書の説明では「セル」という用語を参照することができるが、特に第５世代（５Ｇ）またはＮＲの概念に関してはセルの代わりにビームを使用することができ、したがって、本明細書で説明する概念がセルおよびビームの両方に等しく適用可能であることに留意することが重要であることに留意されたい。本開示全体を通して、「ダウンリンク（ＤＬ）／アップリンク（ＵＬ）伝送」は、１つの無線ノードからの送信器および別の無線ノードにおける受信器との通信リンクを指す。レガシーセルラシステムでは、ネットワークノードおよびＵＥノードの機能は対称ではなく、したがって、ＤＬまたはＵＬが存在する。サイドリンク通信の場合、２つのノード（しばしば両方ともＵＥ装置である）は、機能によって対称である。「サイデリンク伝送（または通信）」はまた、１つのノードからの送信器および別のノードにおける受信器との通信リンクを指す。
【００５６】
伝送データブロックサイズを判定するための本開示の実施形態は潜在的に、システムのより容易な発展または変更、および／または改善された性能を可能にする。
【００５７】
図２は本開示の実施形態を実施することができる無線通信システム１０（例えば、セルラネットワーク）の一例を示す。図示されるように、無線通信システム１０は、無線装置１４への無線または無線アクセスを提供する無線アクセスノード１２を含む。いくつかの実施形態では無線通信システム１０が３ＧＰＰ  ＬＴＥネットワークであり、その場合、無線アクセスノード１２はｅＮＢ（したがって、本明細書ではｅＮＢ  １２と呼ばれる）とすることができる。いくつかの他の実施形態では無線通信システム１０が３ＧＰＰ  ＮＲネットワークであり、その場合、無線アクセスノード１２はｇＮＢ（したがって、ここではｇＮＢ  １２と呼ばれる）であり得る。特に、以下の説明では無線アクセスノード１２はｅＮＢ  １２であり、無線デバイス１４はＵＥ（したがって、本明細書ではＵＥ  １４と呼ぶ）であるが、本開示はこれに限定されない。
【００５８】
本開示では、一般的な総称の伝送データブロックサイズ（ＴＤＢＳ）が使用される。そのような伝送データブロックサイズ（ＴＤＢＳ）は、現在のＬＴＥ仕様において使用されるようなトランスポートブロックサイズ（ＴＢＳ）に対応し得る。そのような伝送データブロックサイズ（ＴＤＢＳ）はまた、無線リソースユニットの異なるプロトコル定義および異なるアグリゲーションに対応し得る。無線リソースユニットの非限定的な例は、ＯＦＤＭシンボル、空間レイヤ、帯域幅部分、およびキャリアを含む。ＰＲＢ（物理リソースブロック）という用語は、現在のＬＴＥ仕様に基づくだけでなく、様々なプロトコルに基づいて動作するシステムにおけるリソース割当ユニットを指すための総称としても使用される。当業者には、これらの異なる定義またはアグリゲーションの変形に本教示を適用することが明らかであろう。
【００５９】
本開示の一態様の実施形態に係る無線ノードのための方法１１０を示すフローチャートを図３に示す。方法１１０は、例えば無線装置１４などの無線ノードのための方法である。この方法は、以下のステップを含む。
【００６０】
ステップ１００（任意）：ＴＤＢＳを判定することを許可する情報を取得すること
【００６１】
ステップ１０４：有効なリソースエレメント数ＮREに少なくとも部分的に基づくＴＤＢＳを判定すること
【００６２】
ステップ１０８（任意）：無線アクセスリンクを介した通信において判定されたＴＤＢＳを使用すること
【００６３】
本開示の別の態様の実施形態に係る、無線ノードのための方法２１０を示すフローチャートを図４に示す。この方法は無線ノード、例えば、ネットワークノード１２のためのものである。方法２１０は、以下のステップを含む：
ステップ２００−Ａ：有効なリソースエレメント数に少なくとも部分的に基づくＴＤＢＳを第２の無線ノードが判定することを可能にする情報を送信すること、および／または、
【００６４】
ステップ２００−Ｂ：別の無線ノードに、第２の無線ノードがＴＤＢＳであって、有効なリソースエレメント数に少なくとも部分的に基づくＴＤＢＳを判定することを可能にする情報を送信させること。
【００６５】
ステップ２００−Ａおよび２００−Ｂは両方実行されてもよく、または１つのみが実行されてもよい。両方が実行される場合、各ステップで送信される情報は相補的であってもよい。
【００６６】
単独で、または図３および図４の方法と組み合わせて使用され得るさらなる実施形態が次に記載される。
【００６７】
＜ＰＲＢあたりの有効なリソースエレメント数を使用した判定（方法Ａ）＞
【００６８】
本開示の一態様ではＵＥなどの無線ノードのための方法（Ａ）において、伝送データブロックサイズはＰＲＢあたりの有効なリソースエレメント数を使用して判定される。本開示を通して、ＰＲＢは、リソース割り当ての周波数領域単位として使用され、時間領域において割り当てられるリソースの限定を有さない。
【００６９】
この態様による一実施形態によれば、無線ノード（例えば、ＵＥ）は、変調次数Ｑm、符号レートｒ、空間レイヤの数ｖ、割り当てられたＰＲＢの数ＮPRB、およびＰＲＢあたりの有効なリソースエレメント数ＮREに基づいて、伝送データブロックサイズを判定する。
【００７０】
別の非限定的な実施形態では、伝送データブロックサイズが次式によって与えられる。
0006972161.tif 000006
【００７１】
別の非限定的な実施形態では、伝送データブロックサイズが特定のサイズ単位Ｃと整合するように調整される。
0006972161.tif 000007
【００７２】
ここで、
0006972161.tif 000008
は、ｘより小さくない最小の整数を与える天井関数（シーリング関数）である。１つの非限定的な例は、伝送データブロックサイズがバイトサイズと整合するように調整されるようにＣ＝８である。
0006972161.tif 000009
【００７３】
Ｃの異なる設定は、伝送データブロックサイズが異なる制約を満たすように調整されることを可能にする。例えば、ＬＴＥでは、トランスポートブロックがすべての符号ブロックが等しいサイズであるという制約を伴って、複数の符号ブロックに再分割され得る。同様のことは他のプロトコルに適用可能である。
【００７４】
一実施形態では、伝送データブロックサイズを導出するために使用されるパラメータが無線アクセスリンクの送信器および受信器の両方に知られていてもよい。一実施形態では、パラメータ（またはパラメータ値、またはパラメータに関連する情報）は準静的に、すなわち上位レイヤのシグナリングを介して、または物理制御情報（たとえば、ダウンリンク制御情報（ＤＣＩ））などを介して動的に、送信器と受信器との間でシグナリングされてもよい。パラメータ値のシグナリングは（例えば、他のパラメータを介して）暗黙的であってもよいし、（例えば、スタンドアロンパラメータとして）明示的であってもよい。他の変形が可能であるが、一実施形態を以下に説明する：
【００７５】
−変調次数Ｑmおよび符号レートｒはともに、ＤＣＩを介して動的にシグナリングされ、ＭＣＳ(変調および符号化方式）と呼ばれる１つのＤＣＩフィールドによって提供される。これは、以下でさらに詳細に説明される：
【００７６】
−空間レイヤの数ｖは例えば,上位レイヤ信号を介して半静的に構成された関連するＭＩＭＯスキームを用いて、ＤＣＩフィールドによって提供される。
【００７７】
−割り当てられたＰＲＢの数ＮPRBは、ＤＣＩフィールドによって動的にシグナリングされるか、またはＤＣＩフィールドによって動的にシグナリングされるＰＲＢ割り当てによって暗示される。
【００７８】
−ＰＲＢあたりの有効なリソースエレメント数ＮREは以下に説明するように、複数の方法で提供することができる：
【００７９】
ｉ．他の構成パラメーターを介して暗黙的に指定する。例えば、ＰＲＢあたりの有効なリソースエレメント数は、スロット構成（ミニスロットを含む）、ＦＤＤ対ＴＤＤ、制御領域構成、参照シンボル構成などを含む様々な構成によって判定することができる。
この場合、ＮREのシグナリングは不要である。いくつかの実施形態では、暗黙的に導出された値が明示的にシグナリングされた値によって上書きすることができるデフォルト値と見なすこともできる。
ｉｉ．上位レイヤのシグナリングを介して明示的に指定する。これはＮREの準静的な構成である。例えば、ｇＮＢはＲＲＣ構成または再構成中に、１組の事前定義されたＮREの値から１つのＮREの値を選択し、次いで、選択されたＮREの値を無線ノード（例えば、ＵＥ）に送信することができる。選択されたＮREの値は、新しい値が上位レイヤのシグナリングを介してシグナリングされるまで、すべての後続の送信のために送信器および受信器の両方で仮定される。
ｉｉｉ．ＤＣＩ経由で明示的に指定する。これはＮREの動的構成である。例えば、ｇＮＢは１組の所定のＮREの値から１つのＮREの値を選択し、次いで、ＤＣＩフィールドを介して選択された値をＵＥに送信することができる。いくつかの実施形態では、ＤＣＩでシグナリングされた値がＤＣＩに関連するデータ送信のためにのみ使用され、後続のすべての送信のためには使用されない。単一のデータ送信のための情報を提供するＤＣＩの場合、ＮREの値は、単一のデータ送信のためだけに使用されてもよい。半永続的なデータ送信の情報を提供するＤＣＩの場合、ＮREの値は、半永続的な構成における複数のデータ送信のために使用され得る。
ｉｖ．上記の方法の組み合わせ。例えば、上位レイヤのシグナリングとＤＣＩシグナリングとの組み合わせを介して明示的に行われる。これは、ＮREの準静的構成と動的構成との組合せを使用する。上位レイヤのシグナリングはベース値であり得、一方、ベース値からのオフセットはＤＣＩによってシグナリングされうる。
【００８０】
一般に、本開示の態様およびそれらの実施形態は、ダウンリンクデータ伝送、アップリンクデータ伝送、およびサイドリンク通信を含む、２つの異なる無線ノードのそれぞれの送信器と受信器との間の任意の無線アクセスリンクに適用可能である。パラメータＮREについては、いくつかの実施形態によれば、１つはダウンリンク通信のためのものであり、もう１つはアップリンク通信のためのものであってもよい。例えば、１つのパラメータ
0006972161.tif 000010
はダウンリンクデータ伝送のために定義され、他のパラメータ
0006972161.tif 000011
はアップリンクデータ伝送のために定義される。典型的には、
0006972161.tif 000012
および
0006972161.tif 000013
は独立した異なる値をとる。
【００８１】
さらに、サイドリンク通信のために、さらに別のパラメータを定義することができる。この場合、２つのピアデバイスは、単一のサイドリンクパラメータ
0006972161.tif 000014
を共有することができる。
【００８２】
同じデータブロック（例えば、トランスポートブロック（ＴＢ））のＨＡＲＱ送信および再送信の場合、ブロックサイズは、以下の場合であっても、同じに保たれなければならないことがある。
【００８３】
−送信または再送信のＤＣＩが、最初の送信を含めて正しく受信されない
【００８４】
−送信または再送信に対するＨＡＲＱ−ＡＣＫ応答が、最初の送信を含めて正しく受信されない
【００８５】
−時間および／または周波数リソース構成は、同じデータブロックの（再）送信の間で変更する
【００８６】
したがって、基地局はすべてのパラメータの集約された効果を考慮するときに、上記の方法の実施形態によって得られる伝送データブロックサイズ（ＴＤＢＳ）が、個々のパラメータ値が変化し得る場合であっても、所与のトランスポートブロックについて同じままであることを確認しなければならない場合がある。
【００８７】
＜ＭＣＳのシグナリング＞
【００８８】
本開示のいくつかの実施形態の１つの特徴は無線ノード（例えば、ＵＥ）が、ＭＣＳインデックスＩMCSを使用して、変調次数Ｑmおよび符号レートｒを判定することである。例示的な一実施形態では無線ノード（例えば、ＵＥ）はＭＣＳインデックスＩMCSを使用してＭＣＳテーブルから変調次数Ｑmおよび符号レートｒを読み取る。ＭＣＳテーブルの非限定的な例を表５に示す。
【００８９】
なお、ＮＲシステムでは、複数のＭＣＳテーブルを定義することができる。例えば：
【００９０】
−ダウンリンクおよびアップリンクは,異なるＭＣＳテーブルを有してもよい。
【００９１】
−ＯＦＤＭおよびＤＦＴ−Ｓ−ＯＦＤＭベースの送信は、異なるＭＣＳテーブルを使用してもよい
【００９２】
−異なる無線ノード（例えば、ＵＥ）カテゴリは、異なるＭＣＳテーブルを使用してもよい。例えば、低コストＵＥ（例えば、ＭＴＣ  ＵＥ、ＮＢ−ＩｏＴ  ＵＥ)は、異なるＭＣＳテーブルを使用してもよい。
表５  本開示のいくつかの実施形態に係る非限定的な例示的なＭＣＳテーブル
0006972161.tif 000015
【００９３】
＜ＰＲＢあたりの有効なリソースエレメント数ＮREのシグナリング＞
【００９４】
本開示によるいくつかの実施形態のさらなる特徴は、ＰＲＢあたりの有効なリソースエレメント数ＮREが上位レイヤのシグナリングシステムを介してネットワークノード（１２など）によって準静的に構成されることである。ＰＲＢあたりの有効なリソースエレメント数ＮREは、システム情報ブロック伝送またはブロードキャストに含めることができる。ＰＲＢあたりの有効なリソースエレメント数ＮREは、無線リソース制御（ＲＲＣ）レイヤのプロトコルなどのより上位のプロトコルによって構成することができる。
【００９５】
本開示によるいくつかの実施形態のさらに別の特徴は、ネットワークノード１２が上位レイヤのシグナリングを介して、ＰＲＢあたりの有効なリソースエレメント数ＮREの値のセットを準静的に構成することである。無線ノード（例えば、ＵＥ）が対応する送信または受信に適用すべきＮREの値を示すために、ダウンリンク制御情報（ＤＣＩ）にインデックスを含めることができる。１つの非限定的な例では、２つのＮREの値が準静的に構成され、適用可能なＮREの値を選択するために１ビットのインデックスがＤＣＩに含まれる。別の非限定的な例では、４つのＮREの値が準静的に構成され、適用可能なＮREの値を選択するために２ビットのインデックスがＤＣＩに含まれる。
【００９６】
さらなる実施形態では、１つ以上のＰＲＢあたりの有効なリソースエレメント数ＮREがＤＣＩ内に提供される。
【００９７】
ここで、ＰＲＢあたりの有効なリソースエレメント数ＮREを計算するための例を提供する。
【００９８】
ＤＬのためのＮRE（
0006972161.tif 000016
）の計算の一例は、以下の通りである。
0006972161.tif 000017
【００９９】
ここで、ｎOFDMは、データ伝送に使用されるＯＦＤＭシンボルの数である。スロットの典型的な値はｎOFDM＝５またはｎOFDM＝１２であり、ここでＤＬ制御およびＤＭＲＳのために２つのＯＦＤＭシンボルが除外される。データ伝送にミニスロットが使用される場合、ｎOFDMのより低い値が期待される。
【０１００】
0006972161.tif 000018
は、位相追従参照信号（ＰＴＲＳ）に使用されるＰＲＢあたりのリソースエレメントの平均数である。上記では１２がＰＲＢ内のサブキャリアの数を指し、すなわち、この例ではＰＲＢ内に１２個のサブキャリアがある。
【０１０１】
一実施形態ではスロット構成が所与のトランスポートブロックに関連する（再）送信の間で変化しない場合、パラメータ
0006972161.tif 000019
は次式によって計算されてもよい。
0006972161.tif 000020
【０１０２】
ここで、ｎDataSlots、ｌDataStart、ｌDataStopは、以下のように定義される：
−リソース割当てのスロット数の長さｎDataSlots
−対応するＰＤＳＣＨの最初のスロットにおける最初のＯＦＤＭシンボルｌDataStart
−対応するＰＤＳＣＨの最後のスロットにおける最後のＯＦＤＭシンボルｌDataStop、
−
0006972161.tif 000021
はＰＴＲＳに使用されるＰＲＢごとのＲＥの平均数。
【０１０３】
＜ＰＲＢあたりの時間領域シンボルあたりの有効なリソースエレメント数を使用して判定（方法Ｂ）＞
【０１０４】
別の実施形態では、無線ノード（例えば、ＵＥまたは基地局のいずれか）のための方法（Ｂ）において、伝送データブロックサイズはＰＲＢあたりの時間領域シンボルあたりの有効なリソースエレメント数を使用して判定される。時間領域シンボルは例えば、アップリンク伝送のために、ＯＦＤＭシンボルまたはＤＦＴ−ＳＣ−ＯＦＤＭシンボルのいずれかであってもよい。
【０１０５】
ＵＥは、変調次数Ｑm、符号レートｒ、空間レイヤの数ｖ、割り当てられたＰＲＢの数ＮPRB、割り当てられた時間領域シンボル（ＯＦＤＭシンボルまたはＤＦＴ−ＳＯＦＤＭシンボル）の数Ｎsymb、およびＰＲＢあたりのＯＦＤＭシンボル（またはＤＦＴ−ＳＣ−ＯＦＤＭシンボル）あたりの有効なリソースエレメント数
0006972161.tif 000022
に基づいて、伝送データブロックサイズを判定する。
【０１０６】
非限定的な一実施形態では、伝送データブロックサイズが次式によって与えられる。
0006972161.tif 000023
【０１０７】
別の非限定的な実施形態では、伝送データブロックサイズが特定のサイズ単位Ｃと整合するように調整される。
0006972161.tif 000024
【０１０８】
ここで、
0006972161.tif 000025
は、ｘより小さくない最小の整数を与える天井関数である。１つの非限定的な例は、伝送データブロックサイズがバイトサイズと整合するように調整されるようにＣ＝８である。
0006972161.tif 000026
【０１０９】
Ｃの異なる設定は、伝送データブロックサイズが異なる制約を満たすように調整されることを可能にする。例えば、現在、ＬＴＥでは、すべての符号ブロックが等しいサイズであるという制約によって、トランスポートブロックが複数の符号ブロックに再分割されてもよい。
【０１１０】
方法（Ａ）のいくつかの実施形態と同様に、伝送データブロックサイズを導出するために使用されるパラメータは、送信器および受信器の両方に知られている。パラメータ値に関する知識は上位レイヤのシグナリングを介して準静的に、またはダウンリンク制御情報（ＤＣＩ）を介して動的に、送信器と受信器との間でシグナリングされる。パラメータ値のシグナリングは、暗黙的であっても明示的であってもよい。
【０１１１】
方法（Ａ）のいくつかの実施形態と同様に、基地局はすべてのパラメータの集約された効果を考慮するとき、個々のパラメータ値が変化し得る場合であっても、上記の方法によって得られたデータブロックサイズが所与のトランスポートブロックについて同じままであることを確実にすることができる。
【０１１２】
割り当てられた時間領域シンボルの数Ｎsymbを計算するための例を以下に示す。
【０１１３】
ＤＬ伝送の場合、時間領域におけるリソース割り当ては、次式によって与えられる。
【０１１４】
−リソース割当てのスロット数の長さｎDataSlots
【０１１５】
−対応するＰＤＳＣＨの最初のスロットにおける最初のＯＦＤＭシンボルｌDataStart
【０１１６】
−対応するＰＤＳＣＨの最後のスロットにおける最後のＯＦＤＭシンボルｌDataStop
【０１１７】
次に、Ｎsymb＝＃ｓｙｍｂｏｌｓ＿ｐｅｒ＿ｓｌｏｔ＊＃ｓｌｏｔｓ−＃ｓｙｍｂｏｌｓ＿ｌｏｓｔ＿ａｔ＿ｓｔａｒｔ−＃ｓｙｍｂｏｌｓ＿ｌｏｓｔ＿ａｔ＿ｅｎｄ、すなわち、
0006972161.tif 000027
である。
【０１１８】
0006972161.tif 000028
の値の例を以下に示す。
【０１１９】
ＰＲＢあたりの時間領域シンボル内のすべてのＲＥがデータ伝送に使用される場合、次に、
0006972161.tif 000029
＝１２である。
【０１２０】
平均して、ｄ個のＲＥが、ＰＲＢあたりの時間領域シンボルにおけるデータ伝送のために使用されることができない場合、
0006972161.tif 000030
＝１２−ｄである。
【０１２１】
次に、図１０を参照して、ＴＤＢＳを判定するための、ユーザ機器（ＵＥ）、例えば、１４における方法３００を説明する。方法３００は、方法１１０の例示的な実施形態である。
【０１２２】
方法３００は、以下のステップを含む。
【０１２３】
ステップ３１０：データ伝送のためのパラメータであって、少なくともレイヤ数、割り当てられたリソースブロック数、変調次数、および符号レートを含むパラメータを取得する。
【０１２４】
ステップ３２０：有効なリソースエレメント数を判定する。
【０１２５】
ステップ３３０：取得されたパラメータと、判定された有効なリソースエレメント数とに基づいて、伝送データブロックを判定する。
【０１２６】
ステップ３４０：判定された伝送データブロックサイズに基づいてデータの送信および受信のうちのいずれかを実行する。
【０１２７】
例えば、ステップ３１０において、パラメータを取得することは、ｇＮＢ１２のようなネットワークノードからの情報（ＤＣＩのような）と、レイヤの数、変調次数、符号レート、及び割り当てられたリソースブロックの数に関連する情報とを含む信号を受信することを含んでもよい。例えば、ＤＣＩは、変調次数および符号レートを指し示すためのＭＣＳフィールドのような第１のフィールドと、レイヤの数を示すための第２のフィールドと、割り当てられたＰＲＢの数を示すための（リソース割り当てフィールドのような）第３のフィールドと、を含んでもよい。ＭＣＳフィールドはＭＣＳインデックスを含んでもよく、ＭＣＳインデックスは、変調次数および符号レートを判定するためにＭＣＳテーブルを探索するためにＵＥによって使用されることができる。いくつかの実施形態では、信号またはＤＣＩが変調次数、符号レート、および割り当てられたリソースブロックの数に関する情報を含んでもよい。レイヤ数は予め定義または構成されることができる。いくつかの実施形態では、信号は物理レイヤよりも上位レイヤのシグナリングであってもよい。例えば、信号は、パラメータに関連する情報を含むＲＲＣ信号とすることができる。
【０１２８】
ステップ３２０では、有効なリソースエレメント数ＮREを異なる方法で判定することができる。有効なリソースエレメント数はユーザデータ（すなわち、制御データなし）を搬送するために排他的に使用されるＲＥの数を表すことに留意されたい。
【０１２９】
例えば、有効なリソースエレメント数の判定は、スロット構成、ミニスロット構成、制御領域構成、参照シンボル構成、周波数分割複信、および時分割複信のうちの少なくとも１つまたは複数に基づくことができる。
【０１３０】
いくつかの実施形態では、ｇＮＢが１組の事前定義されたＮREの値のうちの１つのＮREの値を選択し、次いで、選択された値をＵＥに送信することができる。したがって、ＵＥは例えば、ＲＲＣ構成中に、上位レイヤのシグナリングを介してＮREを受信する。ｇＮＢは、ＤＣＩを介して選択されたＮREの値を送信することもできる。いくつかの実施形態では、ＵＥがアップリンク伝送、ダウンリンク伝送、またはサイドリンク伝送のために有効なリソースエレメント数を判定することができる。ダウンリンク伝送のための有効なリソースエレメント数（
0006972161.tif 000031
）の例は、以下のように判定されることができる。
0006972161.tif 000032
【０１３１】
ここで、ｎOFDMはデータ伝送に使用されるＯＦＤＭシンボルの数であり、
0006972161.tif 000033
は位相追従参照信号（ＰＴＲＳ）に使用されるＰＲＢあたりのリソースエレメントの平均個数であり、１２は、ＰＲＢ内のサブキャリアの個数を意味する。
【０１３２】
ステップ３３０において、ＵＥは、取得されたパラメータと、判定された有効なリソースエレメント数とに基づいて、以下のようにＴＤＢＳを判定することができる。
0006972161.tif 000034
【０１３３】
ここで、ＮPRBは割り当てられたリソースブロックの数であり、ＮREは有効なリソースエレメント数であり、ｖはレイヤの数であり、Ｑmは変調次数であり、ｒは符号レートである。
【０１３４】
いくつかの実施形態では、ＵＥは、判定されたＴＤＢＳがＣなどのサイズ単位と整合されるようにさらに調整することができる。したがって、調整されたＴＤＢＳはたとえば、サイズＣによって課される異なる制約を満たすことができる。
【０１３５】
そうするために、ＵＥは、以下のように調整されたＴＤＢＳを判定してもよい。
0006972161.tif 000035
【０１３６】
有効なリソースエレメント数は、ＰＲＢあたりの有効なリソースエレメント数、またはＰＲＢあたりの時間領域シンボルあたりの有効なリソースエレメント数を含むことができることに留意されたい。例えば、時間領域シンボルは、ＯＦＤＭシンボルまたはＤＦＴ−ＳＣ−ＯＦＤＭシンボルでありうる。この場合、ＴＤＢＳは式［６］によって与えられ、サイズＣと整合するように調整されたＴＤＢＳは式［７］によって与えられる。
【０１３７】
ステップ３４０において、ＴＤＢＳが判定されると、ＵＥは、判定されたＴＤＢＳに基づいて、データを送信するか、またはデータを受信することができる。
【０１３８】
図１１は、データを受信または送信するための方法４００のフローチャートを示す。方法４００は図４の方法２１０の一例であり、方法４００は例えば、ネットワーク１２において実施することができる。
【０１３９】
方法４００は、以下のステップを含む。
【０１４０】
ステップ４１０：データ伝送のためのパラメータであって、少なくともレイヤ数、割り当てられたリソースブロック数、変調、および符号レートを含むパラメータを送信する。
【０１４１】
ステップ４２０：有効なリソースエレメント数を送信する。
【０１４２】
ステップ４３０：送信されたパラメータおよび有効なリソースエレメント数に基づいて判定される伝送データブロックサイズに基づいて、データを受信することおよび送信することのうちの１つを実行する。
【０１４３】
例えば、ステップ４１０において、ネットワークノードは、ＤＣＩのような情報を含む信号において、データ伝送のためのパラメータを送信することができる。ＤＣＩは、パラメータを指し示すための異なるフィールドを含んでもよい。例えば、ＤＣＩは、変調次数および符号レートを指し示すためのＭＣＳフィールド、割り当てられたＰＲＢの数を指し示すためのリソース割り当てフィールド、及びレイヤの数を指示するためのフィールドを有することができる。いくつかの実施形態では、信号またはＤＣＩが変調次数および符号レート、ならびに割り当てられたＰＲＢの数に関する情報を備えることができる。レイヤの数は予め定義されてもよいし、構成されてもよい。いくつかの実施形態では、ネットワークノードがＲＲＣシグナリングなどのより上位レイヤのシグナリングを使用してパラメータを送信することができる。
【０１４４】
ステップ４２０において、ネットワークノードは、送信する前に有効なリソースエレメント数（ＮRE）を最初に判定することができる。例えば、ネットワークノードは、スロット構成、ミニスロット構成、制御領域構成、参照シンボル構成、周波数分割複信、および時分割複信のうちの少なくとも１つまたは複数に基づいてＮREを判定することができる。ネットワークノードはまた、所定の有効なリソースエレメント数のセットの中からＮREの値を選択し、次いで、選択されたＮREをＵＥに送信することができる。
【０１４５】
さらに、有効なリソースエレメント数は、ＤＣＩを含む信号において、またはＲＲＣ信号などの上位レイヤのシグナリングを介して、ＵＥに送信され得る。
【０１４６】
ステップ４３０において、ネットワークノードは、判定されたＴＤＢＳに基づいて、データを送信するか、またはデータを受信することができる。ＴＤＢＳはネットワークノード自体によって判定することができ、またはＵＥから、または別のノードからさえも受信することができる。
【０１４７】
図５は、本開示のいくつかの実施形態に係る無線装置１４の概略ブロック図である。図示のように、無線装置１４は１つまたは複数のプロセッサ１８（たとえば、中央処理装置（ＣＰＵ）、特定用途向け集積回路（ＡＳＩＣ）、フィールドプログラマブルゲートアレイ（ＦＰＧＡ）など）およびメモリ２０を備える回路１６を含む。無線装置１４はまた、１つ以上のアンテナ２８に結合された１つ以上の送信器２４および１つ以上の受信器２６をそれぞれ含む１つ以上の送受信器２２を含む。いくつかの実施形態では、上述した無線装置１４の機能が例えば、メモリ２０に記憶され、プロセッサ１８によって実行されるソフトウェアにおいて、完全にまたは部分的に実施されてもよい。例えば、プロセッサ１８は、図３の方法１１０および図１０の方法３００を実行するように構成される。
【０１４８】
いくつかの実施形態では、少なくとも１つのプロセッサ１８によって実行されるときに、本明細書で説明される実施形態のうちのいずれかによる無線装置１４の機能（例えば、方法１１０および３００）を少なくとも１つのプロセッサ１８に実行させる命令を含むコンピュータプログラムが提供される。いくつかの実施形態では、前述のコンピュータプログラム製品を含むキャリアが提供される。キャリアは電気信号、光信号、無線信号、またはコンピュータ可読記憶媒体（例えば、メモリなどの非一時的なコンピュータ可読媒体）のうちの１つである。
【０１４９】
図６は、本開示のいくつかの他の実施形態に係る無線装置１４の概略ブロック図である。無線装置１４は１つ以上のモジュール３０を含み、各モジュールはソフトウェアで実施される。モジュール３０は、本明細書で説明される無線装置１４の機能を提供する。モジュール３０は例えば、図３のステップ１００および図１０のステップ３１０を実行するように動作可能な取得モジュールと、図３のステップ１０４および図１０のステップ３２０および３３０を実行するように動作可能な判定モジュールと、図３のステップ１０８を実行するように動作可能な使用モジュールまたは図１０のステップ３４０を実行するように動作可能な送信／受信モジュールとを備えてもよい。
【０１５０】
図７は本開示のいくつかの実施形態に係るネットワークノード３２（例えば、無線アクセスノード１２）の概略ブロック図である。図示のように、ネットワークノード３２は１つまたは複数のプロセッサ３６（例えば、ＣＰＵ、ＡＳＩＣ、ＦＰＧＡなど）およびメモリ３８を備える回路を含む制御システム３４を含む。制御システム３４はまた、ネットワークインタフェース４０を含む。ネットワークノード３２が無線アクセスノード１２である実施形態では、ネットワークノード３２が１つ以上のアンテナ４８に結合された１つ以上の送信器４４および１つ以上の受信器４６をそれぞれ含む１つ以上の無線ユニット４２も含む。いくつかの実施形態では、上述のネットワークノード３２の機能が例えば、メモリ３８に格納され、プロセッサ３６によって実行されるソフトウェアで完全にまたは部分的に実施されてもよい。例えば、プロセッサ３６は、図４の方法２１０および図１１の方法４００を実行するように構成することができる。
【０１５１】
図８は本開示のいくつかの他の実施形態に係るネットワークノード３２（例えば、無線アクセスノード１２）の概略ブロック図である。ネットワークノード３２は１つ以上のモジュール６２を含み、各モジュールはソフトウェアで実施される。モジュール６２は、本明細書で説明するネットワークノード３２の機能を提供する。モジュール６２は図４のステップ２００−Ａおよび２００−Ｂに従って、ＴＤＢＳを判定することを可能にする情報を無線デバイス１４に送信するか、または別のノードに送信させるように動作可能な送信モジュールを含んでもよい。送信モジュールは図１１のステップ４１０および４２０を実行するように動作可能であってもよい。モジュール６２は図１１のステップ４３０を実行するように動作可能な受信／送信モジュールをさらに含んでもよい。
【０１５２】
図９は本開示のいくつかの実施形態に係るネットワークノード３２（例えば、無線アクセスノード１２）の仮想化された実施形態を示す概略ブロック図である。本明細書で使用されるように、「仮想化された」ネットワークノード３２は、ネットワークノード３２の機能の少なくとも一部が（例えば、ネットワーク内の物理処理ノード上で実行される仮想マシンを介して）仮想コンポーネントとして実装されるネットワークノード３２である。図示のように、ネットワークノード３２は図１０に関して説明されるように、制御システム３４を任意に含む。さらに、ネットワークノード３２が無線アクセスノード１２である場合にはネットワークノード３２も、図１０に関して説明されるように、１つ以上の無線ユニット４２を含む。制御システム３４（存在する場合）はネットワークインタフェース４０を介して、ネットワーク５２の一部として結合された、または含まれる１つ以上の処理ノード５０に接続される。代替的に、制御システム３４が存在しない場合、１つ以上の無線ユニット４２（存在する場合）はネットワークインタフェースを介して１つ以上の処理ノード５０に接続される。代替的に、本明細書に記載されるネットワークノード３２の機能の全ては処理ノード５０において実施されてもよい（すなわち、ネットワークノード３２は制御システム３４または無線ユニット４２を含まない）。各処理ノード５０は１つまたは複数のプロセッサ５４（例えば、ＣＰＵ、ＡＳＩＣ、ＦＰＧＡおよび／または同様のもの）、メモリ５６、およびネットワークインタフェース５８を含む。
【０１５３】
この例では、本明細書で説明するネットワークノード３２の機能６０が１つまたは複数の処理ノード５０で実装されるか、または制御システム３４（存在する場合）および１つまたは複数の処理ノード５０にわたって任意の所望の方法で分散される。いくつかの特定の実施形態では、本明細書で説明されるネットワークノード３２の機能６０のいくつかまたはすべては処理ノード５０によってホストされる仮想環境で実施される１つ以上の仮想マシンによって実行される仮想コンポーネントとして実施される。当業者には理解されるように、処理ノード５０と制御システム３４（存在する場合）または無線ユニット４２（存在する場合）との間の追加のシグナリングまたは通信は、所望の機能の少なくともいくつかを実行するために使用される。特に、いくつかの実施形態では制御システム３４は含まれなくてもよく、その場合、無線ユニット４２（存在する場合）は適切なネットワークインタフェースを介して処理ノード５０と直接通信する。
【０１５４】
いくつかの実施形態では、少なくとも１つのプロセッサ３６、５４によって実行されると、少なくとも１つのプロセッサ３６、５４に、本明細書で説明する実施形態のいずれかによるネットワークノード３２または処理ノード５０の機能を実行させる命令を含むコンピュータプログラムが提供される。いくつかの実施形態では、前述のコンピュータプログラム製品を含むキャリアが提供される。キャリアは電気信号、光信号、無線信号、またはコンピュータ可読記憶媒体（例えば、メモリ５６などの非一時的なコンピュータ可読媒体）のうちの１つである。
【０１５５】
上述の実施形態は、単なる例であることが意図されている。当業者は、添付の特許請求の範囲によって定義される説明の範囲から逸脱することなく、特定の実施形態に対して変更、修正、および変形を行うことができる。
【０１５６】
＜略語＞
本明細書は、以下の略語のうちの１つ以上を含んでもよい：
３ＧＰＰ                  第３世代パートナーシッププロジェクト
５Ｇ                      第５世代
ＡＣＫ                    肯定応答
ＡＳＩＣ                  特定用途向け集積回路
ＣＣ                      チェイス合成
ＣＰＵ                    中央処理装置
ＣＲＣ                    巡回冗長検査
ＤＣＩ                    ダウンリンク制御情報
ＤＦＴ−ＳＣ−ＯＦＤＭ    離散フーリエ変換単一搬送波直交周波数分割多重
ｅＭＢＢ                  拡張型モバイルブロードバンド
ｅＮＢ                    拡張型または発展型ノードＢ
ＦＰＧＡ                  フィールドプログラマブルゲートアレイ
ｇＮＢ                    ５Ｇネットワークの基地局
ＨＡＲＱ                  ハイブリッド自動再送要求
ＩＲ                      Ｉｎｃｒｅｍｅｎｔａｌ  Ｒｅｄｕｎｄａｎｃｙ
ＬＤＰＣ                  低密度パリティチェック
ＬＴＥ                    ロングタームエボリューション
ＭＣＳ                    変調符号化方式
ＭＭＥ                    モビリティ管理エンティティ
ＭＴＣ                    マシンタイプ通信
ＮＡＣＫ                  否定応答
ＮＤＩ                    新規データインジケータ
ＮＲ                      Ｎｅｗ  Ｒａｄｉｏ
ＯＦＤＭ                  直交周波数分割多重
ＰＤＣＣＨ                物理ダウンリンク制御チャネル
ＰＤＮ                    パケットデータネットワーク
ＰＤＳＣＨ                物理ダウンリンク共有チャネル
Ｐ−ＧＷ                  パケットデータネットワークゲートウェイ
ＲＶ                      冗長バージョン
ＳＣＥＦ                  サービス機能露出機能
ＳＲＳ                    サウンディング参照信号
ＴＲＰ                    送受信点
ＵＥ                      ユーザ機器
ＵＲＬＬＣ                超高信頼・低遅延通信
【図１ａ】
0006972161.tif 000060
【図１ｂ】
0006972161.tif 000061
【図１ｃ】
0006972161.tif 000062
【図２】
0006972161.tif 000063
【図３】
0006972161.tif 000064
【図４】
0006972161.tif 000065
【図５】
0006972161.tif 000066
【図６】
0006972161.tif 000067
【図７】
0006972161.tif 000068
【図８】
0006972161.tif 000069
【図９】
0006972161.tif 000070
【図１０】
0006972161.tif 000071
【図１１】
0006972161.tif 000072